(57)【要約】      （修正有）【課題】超音波洗浄と洗浄液の噴射による高圧洗浄の効果を得ることができ、線材表面を均一に洗浄することができる線材洗浄装置を提供する。【解決手段】連続走行する線材を洗浄するための線材洗浄装置１００は、洗浄液を収容可能で、線材を一端側から他端側に案内し通過する洗浄容器１０と、洗浄容器１０の壁面に配置された超音波発振手段２０と、洗浄容器１０内に洗浄液を供給する液体供給手段３０とを備えている。これにより、超音波洗浄と洗浄液の噴射による高圧洗浄の効果を得ることができ、構成が簡単でコストを抑えると共に、線材表面を均一に洗浄することができる。【選択図】図１
0003221208.tif 000002
【実用新案登録請求の範囲】
【請求項１】
連続走行する線材を洗浄するための線材洗浄装置であって、
洗浄液を収容可能で、前記線材を一端側から他端側に案内し通過する洗浄容器と、
前記洗浄容器の壁面に配置された超音波発振手段と、
前記洗浄容器内に洗浄液を供給する液体供給手段とを備えていることを特徴とする線材洗浄装置。
【請求項２】
前記洗浄容器は、円筒体から形成され、該円筒体の外表面に前記超音波発振手段が着脱可能に配置されていることを特徴とする請求項１に記載の線材洗浄装置。
【請求項３】
前記液体供給手段は、前記洗浄液を噴射する噴射ノズルを有し、
前記噴射ノズルは、中心に前記線材を挿通するための挿通孔が設けられ、前記挿通孔の外周に前記洗浄液を噴射する環状の噴射口が形成されていることを特徴とする請求項１又は２に記載の線材洗浄装置。
【請求項４】
前記超音波発振手段は、少なくとも１つの周波数の超音波を発生する振動子と、少なくとも１つの前記振動子が取り付けられ、該振動子の振動を前記円筒体に伝達するように前記円筒体の外周面に着脱可能に装着される装着手段とを備え、
前記装着手段は、前記円筒体の外壁の一部に対応する円弧状凹部を有する二つの取り付け金具を備え、前記二つの取り付け金具のすくなくとも一方に振動子が設けられていることを特徴とする請求項２又は３に記載の線材洗浄装置。
【考案の詳細な説明】
【技術分野】
【０００１】  本考案は、金属等の線材、特に連続走行する線材の表面を洗浄するための線材洗浄装置に関する。
【背景技術】
【０００２】  従来、線材の表面洗浄は、走行中の線材を洗浄槽内に通過させ、この洗浄槽内に回転自在に支持されると共に、線材を中心に回転し内側にブラシを有するブラシ筒が配設される線材洗浄装置が提案されている（特許文献１）
【先行技術文献】
【特許文献】
【０００３】
【特許文献１】実開平２−９４２５６号公報
【考案の概要】
【考案が解決しようとする課題】
【０００４】  特許文献１に開示されている線材洗浄装置では、ブラシ筒を回転させる回転機構を設ける必要となるため、構成が複雑で、コストが高くなるという問題点があった。また、ブラシ筒の回転でブラシにより線材表面を洗浄することは、洗浄力不十分、均一性が欠けるという欠点があった。【０００５】  従って、本考案は従来技術の上述した課題を解消するものであり、本考案の目的は、構成が簡単でコストを抑えると共に、線材表面を均一に洗浄することができる線材洗浄装置を提供することにある。
【課題を解決するための手段】
【０００６】  本考案によれば、線材洗浄装置は、連続走行する線材を洗浄するための線材洗浄装置であって、洗浄液を収容可能で、線材を一端側から他端側に案内し通過する洗浄容器と、洗浄容器の壁面に配置された超音波発振手段と、洗浄容器内に洗浄液を供給する液体供給手段とを備えている。【０００７】  洗浄容器の壁面に配置された超音波発振手段を設けることにより、連続走行する線材が洗浄容器を通過する際に、超音波洗浄により表面が洗浄され、構成が簡単でコストを抑えると共に、線材表面を均一に洗浄することができる。【０００８】  洗浄容器は、円筒体から形成され、該円筒体の外表面に超音波発振手段が着脱可能に配置されていることが好ましい。これにより、洗浄容器の容積を小さくすることが可能となり、超音波発振手段の修理、取り換えがようになる。【０００９】  液体供給手段は、洗浄液を噴射する噴射ノズルを有し、この噴射ノズルは、中心に線材を挿通するための挿通孔が設けられ、挿通孔の外周に洗浄液を噴射する環状の噴射口が形成されていることも好ましい。これにより、線材の回りから洗浄液を噴射することで、線材表面を均一に洗浄することができる。【００１０】  超音波発振手段は、少なくとも１つの周波数の超音波を発生する振動子と、少なくとも１つの振動子が取り付けられ、該振動子の振動を円筒体に伝達するように円筒体の外周面に着脱可能に装着される装着手段とを備え、装着手段は、円筒体の外壁の一部に対応する円弧状凹部を有する二つの取り付け金具を備え、二つの取り付け金具のすくなくとも一方に振動子が設けられていることも好ましい。これにより、円筒体に簡単に取り付けることができると共に、円筒体を効率よく発振させることができる。
【考案の効果】
【００１１】  本考案によれば、線材洗浄装置は、超音波洗浄と洗浄液の噴射による高圧洗浄の効果を得ることができ、構成が簡単でコストを抑えると共に、線材表面を均一に洗浄することができる。
【図面の簡単な説明】
【００１２】
【図１】本考案の一実施形態における線材洗浄装置の構成を概略的に示す図である。
【図２】本考案の他の実施形態における線材洗浄装置の構成を概略的に示す図である。
【考案を実施するための形態】
【００１３】  以下、本考案に係る線材洗浄装置（ワイヤ洗浄装置）の実施形態を、図を参照して説明する。
【００１４】  図１は本考案の一実施形態における線材洗浄装置１００の構成を示している。図１に示すように、本実施形態における線材洗浄装置１００は、線材Ｗを一端側から他端側に案内し通過する洗浄容器１０と、洗浄容器１０の壁面に配置された超音波発振手段２０と、洗浄容器１０の内部に洗浄液を供給する液体供給手段３０とを備えている。
【００１５】  洗浄容器１０は、例えば、金属製円筒体から形成されている。本実施形態では、サニタリー管材を用いている。洗浄容器１０の両端に液体供給手段３０の噴射ノズル３１がそれぞれ設けられている。また、洗浄容器１０の長さは必要に応じて適宜に設計できる。
【００１６】  超音波発振手段２０は、円筒体１１の外表面に着脱可能に配置されている。この超音波発振手段２０は、少なくとも１つの周波数の超音波を発生する振動子２１と、少なくとも１つの振動子２１が取り付けられ、振動子２１の振動を円筒体１１に伝達するように円筒体１１の外周面に着脱可能に装着される装着手段２２と、駆動手段２３とを備えている。装着手段２２は、円筒体１１の外壁の一部に対応する円弧状凹部を有する二つの取り付け金具２２ａ、２２ｂを備え、二つの取り付け金具２２ａ、２２ｂのすくなくとも一方に振動子２１が設けられている。超音波発振手段２０からの超音波振動は、円筒体１１の壁から放射し、円筒体１１の中心軸部に集中するようになっている。そのため、円筒体１１の中心部に通過する線材Ｗをより強力な超音波洗浄を実現できる。また、振動子２１は、所定周波数（例えば、２０ｋＨｚ、２５ｋＨｚ、２８ｋＨｚ、３０ｋＨｚ、４０ｋＨｚ又は８０ｋＨｚ等）の基本振動、又はその近くの周波数の振動を発生することができるランジュバン型超音波振動子（例えば、超音波洗浄機用振動子）である。
【００１７】  液体供給手段３０は、洗浄容器１０の両端に装着された１対の洗浄液を噴射する噴射ノズル３１を有している。この１対の噴射ノズル３１は、中心に線材Ｗを挿通するための挿通孔３２が設けられ、挿通孔３２の外周に洗浄液を噴射する環状の噴射口３１ａが形成されている。また、液体供給手段３０は、ポンプ（例えば、高圧ポンプ）３３を備えている。
【００１８】  以上説明したように本実施形態の線材洗浄装置１００は、洗浄容器１０と、超音波発振手段２０と、液体供給手段３０とを備える。これにより、超音波洗浄と洗浄液の噴射による高圧洗浄の効果を得ることができ、構成が簡単でコストを抑えると共に、線材Ｗの表面を均一に洗浄することができる。また、超音波発振手段２０は、着脱可能に構成されているため、取り換えが容易できる。
【００１９】  なお、上述した実施形態の線材洗浄装置１００において、超音波発振手段２０は、円筒体の外表面に着脱可能に配置される例を説明したが、本考案はこれに限定されるものではない。例えば、図２に示すように、円筒体１０Ａの側面の開口部に振動板を有する超音波発振手段２０Ａを取り付けるように構成しても良い。
【００２０】  図２に示す線材洗浄装置１００Ａは、線材Ｗを一端側から他端側に案内し通過する洗浄容器１０Ａと、洗浄容器１０Ａの壁面に配置された超音波発振手段２０Ａと、洗浄容器１０Ａの内部に洗浄液を供給する液体供給手段３０とを備えている。
【００２１】  洗浄容器１０Ａは、円筒体１１の側面に開口部１２を設け、この開口部１２に壁面の一部として振動板２２Ａが設けられている。超音波発振手段２０Ａは、振動板２２Ａの表面に複数の振動子２１Ａが配置されている。超音波発振手段２０Ａから放射する超音波は、円筒体１１の内面から反射され、円筒体１１の中心軸部に集中するようになっている。そのため、円筒体１１の中心部に通過する線材Ｗをより強力な超音波洗浄を実現できる。なお、円筒体の代わりに角筒体を用いても良い。
【００２２】  以上述べた実施形態は全て本考案を例示的に示すものであって限定的に示すものではなく、本考案は他の種々の変形態様及び変更態様で実施することができる。従って本考案の範囲は実用新案登録請求の範囲及びその均等範囲によってのみ規定されるものである。
【符号の説明】
【００２３】  １０、１０Ａ  洗浄容器
１１  円筒体
１２  開口部
２０、２０Ａ  超音波発振手段
２１、２１Ａ  振動子
２２  装着手段
２２ａ、２２ｂ  取り付け金具
３０  液体供給手段
３１  噴射ノズル
３１ａ  噴射口
３２  挿通孔
３３  ポンプ
１００  線材洗浄装置
【図１】
0003221208.tif 000003
【図２】
0003221208.tif 000004
【手続補正書】
【提出日】平成31年2月15日(2019.2.15)
【手続補正１】
【補正対象書類名】実用新案登録請求の範囲
【補正対象項目名】全文
【補正方法】変更
【補正の内容】
【実用新案登録請求の範囲】
【請求項１】
連続走行する線材を洗浄するための線材洗浄装置であって、
洗浄液を収容可能で、前記線材を一端側から他端側に案内し通過する洗浄容器と、
前記洗浄容器の壁面に配置された超音波発振手段と、
前記洗浄容器内に洗浄液を供給する液体供給手段とを備えていることを特徴とする線材洗浄装置。
【請求項２】
前記洗浄容器は、円筒体から形成され、該円筒体の外表面に前記超音波発振手段が着脱可能に配置されていることを特徴とする請求項１に記載の線材洗浄装置。
【請求項３】
前記液体供給手段は、前記洗浄液を噴射する噴射ノズルを有し、
前記噴射ノズルは、中心に前記線材を挿通するための挿通孔が設けられ、前記挿通孔の外周に前記洗浄液を噴射する環状の噴射口が形成されていることを特徴とする請求項１又は２に記載の線材洗浄装置。
【請求項４】
前記超音波発振手段は、少なくとも１つの周波数の超音波を発生する振動子と、少なくとも１つの前記振動子が取り付けられ、該振動子の振動を前記円筒体に伝達するように前記円筒体の外周面に着脱可能に装着される装着手段とを備え、
前記装着手段は、前記円筒体の外壁の一部に対応する円弧状凹部を有する二つの取り付け金具を備え、前記二つの取り付け金具のすくなくとも一方に振動子が設けられていることを特徴とする請求項２に記載の線材洗浄装置。